(57)【特許請求の範囲】
【請求項１】
宛名表示部の周囲が打抜かれて窓枠が形成されている表紙と、打抜かれて形成された葉書を有し前記表紙の内側面に重なる葉書部紙葉と、前記葉書部紙葉の裏面に重なる裏面側紙葉とを備え、前記葉書は前記表紙の内側面又は前記裏面側紙葉の表面に剥離容易に接着され、前記宛名表示部は前記葉書の表面に接着され、前記表紙、前記葉書部紙葉及び前記裏面側紙葉の一方の端部が綴じられていることを特徴とする送付用葉書封入冊子。
【請求項２】
打抜かれた窓枠を有する表紙と、打抜かれて形成された葉書を有し前記表紙の内側面に重なる葉書部紙葉と、前記葉書部紙葉の裏面に重なる裏表紙とを備え、前記葉書は前記裏表紙の内側面に剥離容易に接着され、前記窓枠は前記の葉書の表面に重なり、前記葉書の表面の前記窓枠と重なる部分が宛名表示部であり、前記表紙、前記葉書部紙葉及び前記裏表紙の一方の端部が綴じられていることを特徴とする送付用葉書封入冊子。
【請求項３】
前記一方の端部に対向する他方の端部は封緘されていることを特徴とする請求項１又は請求項２に記載した送付用葉書封入冊子。
【請求項４】
前記表紙、前記葉書部紙葉及び前記裏面側紙葉、又は、前記表紙、前記葉書部紙葉及び前記裏表紙は、連続した用紙を折り重ねて形成されていることを特徴とする請求項１又は請求項２に記載した送付用葉書封入冊子。
【発明の詳細な説明】
【技術分野】
【０００１】
本発明は、返信用の葉書が封入された冊子であってそのまま送付される送付用葉書封入冊子に関するものである。
【背景技術】
【０００２】
複数の紙葉（用紙）を折り重ねて一方の端部を綴じ込んだ冊子は、各種雑誌、カタログ、パンフレット等として広く使用されている。特に広告宣伝媒体として使用される冊子においては、掲載される商品等の購入、各種サービスの申込、資料請求等を行うための返信用の葉書が同封され、利用者の便宜が図られている場合も多い。
例えば、本出願人の特許出願に係る特開２０１１−６８０２９号公報（特許文献１）には、冊子状に綴じた紙葉（用紙）の一葉に葉書部を設け、その周囲に切り込みを入れるとともに、この一葉に重なる紙葉と葉書部を剥離可能に接着して葉書を封入した冊子状印刷物が記載されている。
また、実用新案登録第２５７６１６１号公報（特許文献２）には、宛名入りの返信用葉書及び小冊子を封入したダイレクトメール用の封筒が記載されている。
図１９は、特許文献２の封筒の製作工程図であり、図２０は、製作された封筒を表側から見た斜視図である。図１９に示すように、ダイレクトメール用の封筒１１１は、長方形状の１枚のシート１１２をその横方向中央で２つに折り畳んで形成される折り目１１２ａによって、表紙部１１３と裏紙部１１４に区画され、シート１１２の全周縁近傍には、この全周縁と平行にミシン目１１２ｂが設けられて切取り部１１２ｃが形成され、切取り部１１２ｃの内面には第１接着剤層１２１が設けられている。
また、表紙部１１３の上部中央には矩形の窓孔１１３ａが形成され、窓孔１１３ａの全周縁近傍には第２接着剤層１２２が設けられ、さらに、裏紙部１１４の折り目１１２ａの近傍には、縦方向に第３接着剤層１５３が設けられている。
そして、表紙部１１３の内面には、第２接着剤層１２２を介して、裏面１１６ｂに送り先の宛名１１８が記載された葉書１１６が貼り付けられ、裏紙部１１４の内面には、第３接着剤層１５３を介して、商品カタログ等の小冊子１５１が貼り付けられる。このようにして、葉書１１６と小冊子１５１が貼り付けられたシート１１２は、横方向中央で２つに折り畳まれ、第１接着剤層１２１を介して表紙部１１３と裏紙部１１４の内面同士が貼り合されてダイレクトメール用の封筒１１１となる。
このようにして製作された封筒１１１は、図２０に示すように、葉書１１６の裏面１１６ｂに記載された宛名１１８が、窓孔１１３ａから視認され、送付用の封筒となる。
この封筒１１１を受け取った受取人は、ミシン目１１２ｂから切取り部１１２ｃを切り離して封筒１１１を開封し、表紙部１１３と裏紙部１１４から葉書１１６と小冊子１５１を剥がし、小冊子１５１は商品カタログとして使用し、葉書１１６は返信用葉書として使用することができる。
この場合、葉書１１６の裏面１１６ｂには受取人の住所・氏名（宛名）が記載され、葉書１１６の表面には返信先の宛名が記載されているため、受取人は、葉書１１６に自己の住所・氏名や宛名を記載することなく、葉書１１６を返送することができる。
【０００３】
しかしながら、特許文献１の葉書を封入した冊子状印刷物を送付用冊子として使用した場合には、葉書が冊子の内側に封人されているため、葉書に受取人の住所・氏名を記載することができず、受取人が葉書を返送するときには、自己の住所・氏名を記載しなければならないという手間が生じていた。
また、特許文献２のダイレクトメール用の封筒１１１においては、宛名１１８が窓孔１１３ａの内側に納まるように位置合わせして、葉書１１６を表紙部１１３に貼り付け、小冊子１５１を裏紙部１１４の所定に位置に貼り付ける必要があり、葉書１１６と小冊子１５１の封入作業が面倒となるのみならず、受取人が封筒１１１を開封するためには、ミシン目１１２ｂから切取り部１１２ｃを切り離なさなければならないという煩わしさがあり、さらに、開封後の封筒１１１は廃棄され、資源の無駄が生じていた。
【先行技術文献】
【特許文献】
【０００４】
【特許文献１】特開２０１１−６８０２９号公報
【特許文献２】実用新案登録第２５７６１６１号公報
【発明の概要】
【発明が解決しようとする課題】
【０００５】
本発明が解決しようとする課題は、封筒を使用することなく送付できる冊子において、封入する葉書の位置合わせをすることなく、容易に宛名を表示した葉書を冊子に封入でき、開封も容易に行えるようにすることである。
【課題を解決するための手段】
【０００６】
請求項１の発明は、宛名表示部の周囲が打抜かれて窓枠が形成されている表紙と、打抜かれて形成された葉書を有し前記表紙の内側面に重なる葉書部紙葉と、前記葉書部紙葉の裏面に重なる裏面側紙葉とを備え、前記葉書は前記表紙の内側面又は前記裏面側紙葉の表面に剥離容易に接着され、前記宛名表示部は前記葉書の表面に接着され、前記表紙、前記葉書部紙葉及び前記裏面側紙葉の一方の端部が綴じられている送付用葉書封入冊子を提供して、上記課題を解決するものである。
【０００７】
請求項２の発明は、打抜かれた窓枠を有する表紙と、打抜かれて形成された葉書を有し前記表紙の内側面に重なる葉書部紙葉と、前記葉書部紙葉の裏面に重なる裏表紙とを備え、前記葉書は前記裏表紙の内側面に剥離容易に接着され、前記窓枠は前記の葉書の表面に重なり、前記葉書の表面の前記窓枠と重なる部分が宛名表示部であり、前記表紙、前記葉書部紙葉及び前記裏表紙の一方の端部が綴じられている送付用葉書封入冊子を提供して、上記課題を解決するものである。
【０００８】
請求項３の発明は、請求項１または２において、前記一方の端部に対向する他方の端部は封緘されている送付用葉書封入冊子を提供して、上記課題を解決するものである。
【０００９】
請求項４の発明は、請求項１または２において、前記表紙、前記葉書部紙葉及び前記裏面側紙葉、又は、前記表紙、前記葉書部紙葉及び前記裏表紙は、連続した用紙を折り重ねて形成されている送付用葉書封入冊子を提供して、上記課題を解決するものである。
【発明の効果】
【００１０】
請求項１の発明においては、宛名表示部の周囲が打抜かれて窓枠が形成されている表紙と、打抜かれて形成された葉書を有し前記表紙の内側面に重なる葉書部紙葉と、前記葉書部紙葉の裏面に重なる裏面側紙葉とを備えた送付用葉書封入冊子であって、前記葉書は前記表紙の内側面又は前記裏面側紙葉の表面に剥離容易に接着され、前記宛名表示部は前記の葉書の表面に接着され、前記表紙、前記葉書部紙葉及び前記裏面側紙葉の一方の端部が綴じられているため、前記葉書と前記表紙の位置合わせをすることなく前記葉書を冊子に封入して送付することができ、開封も容易に行え、前記葉書には前記宛名表示部に記載された宛名がそのまま残るという効果を奏する。
【００１１】
請求項２の発明においては、打抜かれた窓枠を有する表紙と、打抜かれて形成された葉書を有し前記表紙の内側面に重なる葉書部紙葉と、前記葉書部紙葉の裏面に重なる裏表紙とを備えた送付用葉書封入冊子であって、前記葉書は前記裏表紙の内側面に剥離容易に接着され、前記窓枠は前記の葉書の表面と重なり、前記葉書の表面の前記窓枠と重なる部分が宛名表示であり、前記表紙、前記葉書部紙葉及び前記裏表紙の一方の端部が綴じられているため、前記葉書と前記表紙の位置合わせをすることなく前記葉書を冊子に封入して送付することができ、開封も容易に行え、前記葉書には前記宛名表示部に記載された宛名がそのまま残るという効果を奏する。
【００１２】
請求項３の発明においては、前記一方の端部に対向する他方の端部は封緘された請求項１または２の送付用葉書封入冊子であって、前記葉書と前記表紙の位置合わせをすることなく前記葉書を冊子に封入して送付することができ、開封も容易に行え、前記葉書には前記宛名表示部に記載された宛名がそのまま残るという効果を奏する。
【００１３】
請求項４の発明においては、前記表紙、前記葉書部紙葉及び前記裏面側紙葉、又は、前記表紙、前記葉書部紙葉及び前記裏表紙は、連続した用紙を折り重ねて形成されている請求項１または２の送付用葉書封入冊子であって、前記葉書と前記表紙の位置合わせをすることなく前記葉書を冊子に封入して送付することができ、開封も容易に行え、前記葉書には前記宛名表示部に記載された宛名がそのまま残るという効果を奏する。
【図面の簡単な説明】
【００１４】
【図１】実施例１の送付用葉書封入冊子の正面図である。
【図２】実施例１の送付用葉書封入冊子の平面図である。
【図３】実施例１の送付用葉書封入冊子の葉書が設けられた面を開いた状態の斜視図である。
【図４】実施例１の送付用葉書封入冊子の葉書が設けられた面を完全に開いた状態の正面図である。
【図５】実施例１の送付用葉書封入冊子の葉書が設けられた面を完全に開いた状態の平面図である。
【図６】実施例１の送付用葉書封入冊子を製造するに際し、連続する１枚の用紙に施す加工の種類と位置を表した説明図である。
【図７】実施例２の送付用葉書封入冊子の正面図である。
【図８】実施例２の送付用葉書封入冊子の平面図である。
【図９】実施例２の送付用葉書封入冊子の葉書が設けられた面を開いた状態の斜視図である。
【図１０】実施例２の送付用葉書封入冊子の葉書が設けられた面を完全に開いた状態の正面図である。
【図１１】実施例２の送付用葉書封入冊子の葉書が設けられた面を完全に開いた状態の平面図である。
【図１２】実施例２の送付用葉書封入冊子を製造するに際し、連続する１枚の用紙に施す加工の種類と位置を表した説明図である。
【図１３】実施例３の送付用葉書封入冊子の正面図である。
【図１４】実施例３の送付用葉書封入冊子の平面図である。
【図１５】実施例３の送付用葉書封入冊子の葉書が設けられた面を開いた状態の斜視図である。
【図１６】実施例３の送付用葉書封入冊子の葉書が設けられた面を完全に開いた状態の正面図である。
【図１７】実施例３の送付用葉書封入冊子の葉書が設けられた面を完全に開いた状態の平面図である。
【図１８】実施例３の送付用葉書封入冊子を製造するに際し、連続する１枚の用紙に施す加工の種類と位置を表した説明図である。
【図１９】特許文献２の封筒の製作工程図である。
【図２０】特許文献２の製作された封筒を表側から見た斜視図である。
【発明を実施するための形態】
【００１５】
以下、実施例１、実施例２及び実施例３に基づいて本発明を実施するための形態を説明する。
【実施例１】
【００１６】
［送付用葉書封入冊子の構成］
図１は、本発明の第１実施形態である実施例１の送付用葉書封入冊子の正面図であり、図２は、実施例１の送付用葉書封入冊子の平面図であり、図３は、実施例１の送付用葉書封入冊子の葉書が設けられた面を開いた状態の斜視図であり、図４は、実施例１の送付用葉書封入冊子の葉書が設けられた面を完全に開いた状態の正面図であり、図５は、実施例１の送付用葉書封入冊子の葉書が設けられた面を完全に開いた状態の平面図である。
図中、１は送付用葉書封入冊子、２は表紙、３は窓枠、４は宛名表示部、５は裏表紙、６はその一部が葉書となる葉書部紙葉、６ａは主葉書部紙葉、６ｂは補助紙、７は葉書部紙葉６に重なる裏面側紙葉、８は返信用の葉書、９は葉書部紙葉６の一部が葉書形状に打抜かれた打抜き枠、ｆ１、ｆ２は折り目、４ａは宛名、１０ａ〜１０ｄは通常の接着力を有する接着剤層、１１ａ、１１ｂは剥離容易な接着剤層である。
【００１７】
図１〜図５に示すように、送付用葉書封入冊子１は、表側から順に表紙２、葉書部紙葉６、裏面側紙葉７及び裏表紙５からなる４葉の冊子であり、表紙２と裏表紙５は１枚の用紙がその中央部で２つに折り重ねられて形成され、葉書部紙葉６（主葉書部紙葉６ａ）と裏面側紙葉７は別の１枚の用紙がその中央部で２つに折り重ねられて形成されたものである。
この送付用葉書封入冊子１においては、図２に示すように、表紙２と裏表紙５を区画する用紙の折り目ｆ１と、葉書部紙葉６（主葉書部紙葉６ａ）と裏面側紙葉７を区画する用紙の折り目ｆ２が重ね合わされ、折り目ｆ１、ｆ２の近傍において、表紙２の内側面（葉書部紙葉６と重なる側の面）と葉書部紙葉６（主葉書部紙葉６ａ）の表面（表紙２と重なる側の面）が接着剤層１０ａで接着され、裏面側紙葉７の裏面（葉書部紙葉６と重なる側の面）と裏表紙５の内側面（裏面側紙葉７と重なる側の面）が接着剤層１０ｂで接着されて各葉が綴じられている。
そして、表紙２の上部中央部には、矩形状に打ち抜かれた窓枠３が形成され、窓枠３の内側部分は宛名表示部４となってその裏面が葉書部紙葉６の表面に接着剤層１０ｃで接着されている。これにより、後述する葉書８の表面上部に宛名表示部４が貼り付けられることとなる。
本実施例においては、打ち抜かれた窓枠３の内側部分は宛名表示部４として葉書部紙葉６の表面に接着されているが、この打ち抜かれた窓枠３の内側部分を除去し、葉書部紙葉６の表面の窓枠３と重なる部分を宛名表示部として、この宛名表示部に宛名を表示するようにしてもよい。
また、主葉書部紙葉６ａは、その裏面に主葉書部紙葉６ａより横幅の狭い補助紙６ｂが接着剤層１０ｄで接着されて葉書部紙葉６となり、葉書部紙葉６には葉書形状に打抜かれた打抜き枠９が形成され、打抜き枠９の内側部分は返信用の葉書８となってその裏面が裏面側紙葉７の表面に接着剤層１１ａで接着されている。
このように主葉書部紙葉６ａと補助紙６ｂを接着して葉書部紙葉６としているのは、葉書部紙葉６ａの厚みが通常の葉書の厚みより薄く、主葉書部紙葉６ａと補助紙６ｂを接着することにより、通常の葉書の厚みが得られるからである。したがって、通常の葉書と同じ程度の厚みを有する主葉書部紙葉６ａを使用した場合は、補助紙６ｂは不要で、主葉書部紙葉６ａのみを葉書部紙葉６としてこれを打抜いたものを葉書８とすることができる。
本実施例においては、葉書８は、その裏面が裏面側紙葉７の表面に接着されているが、葉書８の表面を表紙２の内側面に接着剤層１１ａと同様の接着剤層で接着してもよい。
さらに、図２に示すように、葉書部紙葉６と裏面側紙葉７の横幅は、表紙２と裏表紙５の横幅より狭くなっており、折り目ｆ１に対向する表紙２と裏表紙５の一端近傍の内側面同士が剥離容易な接着剤層１１ｂで接着されている。これにより、送付用葉書封入冊子１の折り目ｆ１の対向する一端が封緘され、送付用葉書封入冊子１をそのまま送付することができる。
本実施例においては、葉書部紙葉６と裏面側紙葉７の横幅は表紙２と裏表紙５の横幅より狭くなっているが、葉書部紙葉６と裏面側紙葉７の横幅は表紙２と裏表紙５の横幅を同じにして、あるいは、表紙２、葉書部紙葉６、裏面側紙葉７及び裏表紙５の横幅を互いに異ならせて、これらの折り目ｆ１に対向する一端近傍を接着剤層１１ｂと同様の接着剤層で接着して封緘してもよい。
また、本実施例においては、表紙２と裏表紙５の折り目ｆ１に対向する一端近傍の内側面同士を接着して封緘しているが、さらに、表紙２、葉書部紙葉６、裏面側紙葉７及び裏表紙５の縦方向の端部において、重なり合う面同士も接着剤層１１ｂと同様の接着剤層で接着して封緘を強固にしてもよい。
【００１８】
［接着剤層の構成及び接着の態様］
接着剤層１０ａ〜１０ｄは、通常の接着力を有する接着剤によって形成され、接着剤層１０ｃは、宛名表示部４と葉書部紙葉６が重なる部分の全面に設けられ、接着剤層１０ｄは、主葉書部紙葉６ａと補助紙６ｂが重なる部分の全面に設けられる。これにより、送付用葉書封入冊子１の使用時（送付時を含む）に宛名表示部４が葉書部紙葉６から剥がれたり、主葉書部紙葉６ａから補助紙６ｂが剥がれたりしないようにしている。
また、接着剤層１１ａ、１１ｂは、容易に剥離する接着力を有する接着剤によって形成され、接着剤層１１ａは、葉書８と裏面側紙葉７が重なる部分または葉書８と表紙２が重なる部分（宛名表示部４を除く）において、その重なる部分の全面に設けてもよく、あるいは、その重なる部分の一部にパターン状に設けてもよい。これにより、接着されている表紙２と裏表紙５の一端を剥がして、封緘されている送付用葉書封入冊子１を容易に開封することができ、また、葉書８を裏面側紙葉７あるいは表紙２から容易に剥がして使用することができる。
【００１９】
［送付用葉書封入冊子１の製造方法］
送付用葉書封入冊子１は、連続する１枚の用紙に、印刷、切断、打抜き、折り、接着剤塗布、貼り合せ等の加工を施すことにより、製造することができる。
図６は、送付用葉書封入冊子１を製造するに際し、連続する１枚の用紙に施す加工の種類と位置を表した説明図である。図において、Ａは、連続する１枚の用紙であり、２点鎖線で示すＡｘ１、Ａｘ２は、用紙の縦方向（進行方向）の切断位置を示す切断予定線、２点鎖線で示すＡｙ１、Ａｙ２は、用紙の横方向（進行方向と直角方向）の切断位置を示す切断予定線、１点鎖線で示すＡｕ１、Ａｕ２は、打抜く位置を示す打抜き予定線、破線で示すＡｔ１、Ａｔ２は、縦方向の折り位置を示す縦折り予定線、網点で示すＡｒ１〜Ａｒ６は、接着剤を塗布する領域を示す接着剤塗布予定領域である。なお、本実施例における接着剤塗布予定領域Ａｒ５は、横長の長方形を上下に２個、縦長の長方形を左右に４個並べたパターン状となっているが、接着剤塗布予定領域Ａｒ５は、これに限定されるものではなく、任意の形状・パターンとすることができる。
【００２０】
ここで、切断予定線Ａｙ１とＡｙ２の間隔ｐ１が、送付用葉書封入冊子１の縦方向の長さとなり、Ａｙ１とＡｙ２で仕切られる領域から１冊の送付用葉書封入冊子１が製造される。
そして、Ａｙ１とＡｙ２で仕切られる領域のうち、切断予定線Ａｘ１と縦折り予定線Ａｔ１で仕切られる領域Ａ１が表紙２となり、切断予定線Ａｘ２と縦折り予定線Ａｔ２で仕切られる領域Ａ２が主葉書部紙葉６ａとなり、用紙Ａの左端と切断予定線Ａｘ２で仕切られる領域Ａ３が補助紙６ｂとなり、縦折り予定線Ａｔ２と切断予定線Ａｘ１で仕切られる領域Ａ４が裏面側紙葉となり、縦折り予定線Ａｔ１と用紙Ａの右端で仕切られる領域Ａ５が裏表紙５となり、縦折り予定線Ａｔ１、Ａｔ２は、折り目ｆ１、ｆ２となる。
【００２１】
以下、送付用葉書封入冊子１の製造方法を具体的に説明する。
まず、輪転印刷機（図示せず）の給紙部から巻取状の用紙Ａを繰り出し、その表裏面に所定の印刷を施す。次いで、印刷された用紙Ａは、加工機（図示せず）により、切断予定線Ａｘ１とＡｘ２で切断され、第１の用紙（右側部分）、第２の用紙（中央部分）及び第３の用紙（左側部分）に３分割される。
そして、第１の用紙（右側部分）に対しては、接着剤塗布予定領域Ａｒ１、Ａｒ２、Ａｒ３に通常の接着力を有する接着剤が塗布されて接着剤層１０ａ、１０ｂ、１０ｃが形成される。
一方、第２の用紙（中央部分）に対しては、接着剤塗布予定領域Ａｒ４、に通常の接着力を有する接着剤が塗布されて接着剤層１０ｄが形成され後、第３の用紙（左側部分）が第２の用紙の接着剤塗布予定領域Ａｒ４に重ねられて接着される。
その後、縦折り予定線Ａｔ１とＡｔ２が一致し領域Ａ１とＡ２が重なるようにして、第２用紙が第１の用紙上に重ねられて接着剤塗布予定領域Ａｒ１〜Ａｒ３で接着された後、第２の用紙（第３の用紙）が打抜き予定線Ａｕ２に沿って打抜かれ、打抜き枠９が形成される。
さらに、接着剤塗布予定領域Ａｒ５、Ａｒ６に剥離容易な接着剤が塗布されて接着剤層１１ａ、１１ｂが形成され、縦折り予定線Ａｔ１（Ａｔ２）に沿って、第１の用紙が第２の用紙と共に折り重ねられ、第１の用紙の両端部同士が接着剤層１１ｂで接着されると共に第２の用紙（第３の用紙）同士が接着剤層１１ａで接着された後、第１の用紙が打抜き予定線Ａｕ１に沿って打抜かれ、窓枠３が形成される。
最後に、折り重ねられた第１の用紙と第２の用紙（第３の用紙）は、切断予定線Ａｙ１、Ａｙ２で切断されて、送付用葉書封入冊子１となる。
このようにして、用紙Ａから送付用葉書封入冊子１が連続的に製造される。
【００２２】
本実施例においては、打抜き予定線Ａｕ１の内側（接着剤塗布予定領域Ａｒ３）に通常の接着剤を塗布して、第１の用紙の領域Ａ１と第２の用紙（第３の用紙）の領域Ａ２を接着しているが、打抜き予定線Ａｕ１の内側に接着剤を塗布せず、第１の用紙を打抜き予定線Ａｕ１に沿って打抜いた後に、打抜いた部分（抜き予定線Ａｕ１の内側）を除去してもよい。
また、本実施例においては、接着剤塗布予定領域Ａｒ５を第２の用紙の領域Ａ４内に設けているが、この接着剤塗布予定領域Ａｒ５を第１の用紙の領域Ａ１内の打抜き予定線Ａｕ２と重なる部分の内側（接着剤塗布予定領域Ａｒ３を除く）に設け、第１の用紙の領域Ａ１と第２用紙の領域Ａ２を剥離容易な接着剤で接着してもよい。
【００２３】
［送付用葉書封入冊子１の使用方法］
上記のように、送付用葉書封入冊子１は、折り目ｆ１側の端部が綴じられ、折り目ｆ１に対向する一端が封緘されており、宛名表示部４に送付先の宛名を記載することにより、送付することができる。
また、表紙２に宛名表示部４を設けない場合は、窓枠３の内側に露出している葉書８の表面を宛名表示部として、この宛名表示部に送付先の宛名を記載することにより、送付用葉書封入冊子１を送付することができる。
送られてきた送付用葉書封入冊子１を受け取った受取人は、封緘されている送付用葉書封入冊子１を開封することにより、図３に示すように、送付用葉書封入冊子１を商品情報等が記載された通常の冊子（商品カタログ等）として利用することができる。この場合、表紙２と裏表紙５の一端の内側面同士が剥離容易な接着剤層１１ｂで接着されているため、受取人は、表紙２と裏表紙５の一端を容易に剥がして、送付用葉書封入冊子１を開封することができる。
そして、開封した送付用葉書封入冊子１の裏面側紙葉７の表面には、周囲が打抜かれた葉書８が、剥離容易な接着剤層１１ａにより接着されているため、受取人は、葉書８を裏面側紙葉７の表面から容易に剥がすことができ、剥がした葉書８を返信用の葉書として利用することができる。葉書８が表紙２の内側面に接着されている場合も同様である。
この場合、葉書８の表面には受取人の宛名（住所・氏名等）が記載された宛名表示部４が接着されてそのまま残っているため、受取人が葉書８を返信する際に、葉書８に自己の住所・氏名等を記載するという手間が省かれる。葉書８の表面に受取人の宛名（住所・氏名等）が直接記載されている場合も同様である。
なお、葉書８の裏面には、予め返信先の宛名が印刷されている。
【実施例２】
【００２４】
［送付用葉書封入冊子の構成］
図７は、本発明の第２実施形態である実施例２の送付用葉書封入冊子の正面図であり、図８は、実施例２の送付用葉書封入冊子の平面図であり、図９は、実施例２の送付用葉書封入冊子の葉書が設けられた面を開いた状態の斜視図であり、図１０は、実施例２の送付用葉書封入冊子の葉書が設けられた面を完全に開いた状態の正面図であり、図１１は、実施例２の送付用葉書封入冊子の葉書が設けられた面を完全に開いた状態の平面図である。
図中、２１は送付用葉書封入冊子、２２は表紙、２３は窓枠、２４は宛名表示部、２５は裏表紙、２６はその一部が葉書となる葉書部紙葉、２６ａは主葉書部紙葉、２６ｂは補助紙、２８は返信用の葉書、２９は葉書部紙葉２６の一部が葉書形状に打抜かれた打抜き枠、ｆ２１は折り目、２４ａは宛名、３０ａ〜３０ｃは通常の接着力を有する接着剤層、３１ａ、３１ｂは剥離容易な接着剤層である。
【００２５】
図７〜図１１に示すように、送付用葉書封入冊子２１は、表側から順に表紙２２、葉書部紙葉２６及び裏表紙２５からなる３葉の冊子であり、表紙２２と裏表紙２５は１枚の用紙がその中央部で２つに折り重ねられて形成されたものであり、本実施例においては、裏表紙２５が葉書部紙葉２６の裏面（裏表紙２５と重なる側の面）に重なる裏面側紙葉となる。
この送付用葉書封入冊子２１においては、図８に示すように、表紙２２と裏表紙２５を区画する用紙の折り目ｆ２１と、葉書部紙葉２６（主葉書部紙葉２６ａ）の左端が重ね合わされ、折り目ｆ２１の近傍において、表紙２２の内側面（葉書部紙葉２６と重なる側の面）と葉書部紙葉２６（主葉書部紙葉２６ａ）の表面（表紙２２と重なる側の面）が接着剤層３０ａで接着されて各葉が綴じられている。
そして、表紙２２の上部中央部には、矩形状に打ち抜かれた窓枠２３が形成され、窓枠２３の内側部分は宛名表示部２４となってその裏面が葉書部紙葉２６の表面に接着剤層３０ｂで接着されている。これにより、後述する葉書２８の表面上部に宛名表示部２４が貼り付けられることとなる。
本実施例においては、打ち抜かれた窓枠２３の内側部分は宛名表示部２４として葉書部紙葉２６の表面に接着されているが、この打ち抜かれた窓枠２３の内側部分を除去し、葉書部紙葉２６の表面の窓枠２３と重なる部分を宛名表示部として、この宛名表示部に宛名を表示するようにしてもよい。
また、主葉書部紙葉２６ａは、その裏面に主葉書部紙葉２６ａより横幅の狭い補助紙２６ｂが接着剤層３０ｃで接着されて葉書部紙葉２６となり、葉書部紙葉２６には葉書形状に打抜かれた打抜き枠２９が形成され、打抜き枠２９の内側部分は返信用の葉書２８となってその裏面が裏表紙２５の内側面に接着剤層３１ａで接着されている。
このように主葉書部紙葉２６ａと補助紙２６ｂを接着して葉書部紙葉２６としているのは、実施例１の葉書部紙葉６と同様の理由であり、補助紙２６ｂが不要な場合があるのも葉書部紙葉６と同様である。
本実施例においては、葉書２８は、その裏面が裏表紙２５の内側面に接着されているが、葉書２８の表面を表紙２２の内側面に接着剤層３０ａと同様の接着剤層で接着してもよい。
さらに、図８に示すように、葉書部紙葉２６の横幅は、表紙２２と裏表紙２５の横幅より狭くなっており、折り目ｆ２１に対向する表紙２２と裏表紙２５の一端近傍の内側面同士が接着剤層３１ｂで接着されている。これにより、送付用葉書封入冊子２１の折り目ｆ２１の対向する一端が封緘され、送付用葉書封入冊子２１をそのまま送付することができる。
本実施例においては、葉書部紙葉２６の横幅は表紙２２と裏表紙２５の横幅より狭くなっているが、葉書部紙葉２６の横幅は表紙２２と裏表紙２５の横幅を同じにして、あるいは、表紙２２、葉書部紙葉２６２及び裏表紙２５の横幅を互いに異ならせて、これらの折り目ｆ２１に対向する一端近傍を接着剤層３１ｂと同様の接着剤層で接着して封緘してもよい。
また、本実施例においては、折り目ｆ２１に対向する表紙２２と裏表紙２５の一端近傍の内側面同士を接着して封緘しているが、さらに、表紙２２、葉書部紙葉２６及び裏表紙２５の縦方向の端部において、重なり合う面同士も接着剤層３１ｂと同様の接着剤層で接着して封緘を強固にしてもよい。
【００２６】
［接着剤層の構成及び接着の態様］
接着剤層３０ａ〜３０ｃは、実施例１の接着剤層１０ａ〜１０ｄに使用される接着剤と同様に通常の接着力を有する接着剤によって形成され、接着剤層３０ｂは、宛名表示部２４と葉書部紙葉２６が重なる部分の全面に設けられ、接着剤層３０ｃは、主葉書部紙葉２６ａと補助紙２６ｂが重なる部分の全面に設けられる。これにより、送付用葉書封入冊子２１の使用時（送付時を含む）に宛名表示部２４が葉書部紙葉２６から剥がれたり、主葉書部紙葉２６ａから補助紙２６ｂが剥がれたりしないようにしている。
また、接着剤層３１ａ、３１ｂは、実施例１の接着剤層１１ａ、１１ｂに使用される接着剤と同様の容易に剥離する接着力を有する接着剤によって形成される。そして、接着剤層３１ａは、葉書２８と裏表紙２５が重なる部分または葉書２８と表紙２２が重なる部分（宛名表示部２４を除く）において、その重なる部分の全面に設けてもよく、あるいは、その重なる部分の一部にパターン状に設けてもよい。これにより、接着されている表紙２２と裏表紙２５の一端を剥がして、封緘されている送付用葉書封入冊子２を容易に開封することができ、また、葉書２８を裏表紙２５あるいは表紙２２から容易に剥がして使用することができる。
【００２７】
［送付用葉書封入冊子２１の製造方法］
送付用葉書封入冊子２１は、実施例１の送付用葉書封入冊子１と同様に、連続する１枚の用紙に、印刷、切断、打抜き、折り、接着剤塗布、貼り合せ等の加工を施すことにより、製造することができる。
図１２は、送付用葉書封入冊子２１を製造するに際し、連続する１枚の用紙に施す加工の種類と位置を表した説明図である。図において、Ｂは、連続する１枚の用紙であり、２点鎖線で示すＢｘ１、Ｂｘ２は、用紙の縦方向（進行方向）の切断位置を示す切断予定線、２点鎖線で示すＢｙ１、Ｂｙ２は、用紙の横方向（進行方向と直角方向）の切断位置を示す切断予定線、１点鎖線で示すＢｕ１、Ｂｕ２は、打抜く位置を示す打抜き予定線、破線で示すＢｔ１は、縦方向の折り位置を示す縦折り予定線、網点で示すＢｒ１〜Ｂｒ５は、接着剤を塗布する領域を示す接着剤塗布予定領域である。なお、本実施例における接着剤塗布予定領域Ｂｒ４は、横長の長方形を上下に２個、縦長の長方形を左右に４個並べたパターン状となっているが、接着剤塗布予定領域Ｂｒ４は、これに限定されるものではなく、任意の形状・パターンとすることができる。
【００２８】
ここで、切断予定線Ｂｙ１とＢｙ２の間隔ｐ２が、送付用葉書封入冊子２１の縦方向の長さとなり、Ｂｙ１とＢｙ２で仕切られる領域から１冊の送付用葉書封入冊子２１が製造される。
そして、Ｂｙ１とＢｙ２で仕切られる領域のうち、切断予定線Ｂｘ１と縦折り予定線Ｂｔ１で仕切られる領域Ｂ１が表紙２２となり、切断予定線Ｂｘ２と切断予定線Ｂｘ１で仕切られる領域Ｂ２が主葉書部紙葉２６ａとなり、用紙Ｂの左端と切断予定線Ｂｘ２で仕切られる領域Ｂ３が補助紙２６ｂとなり、縦折り予定線Ｂｔ１と用紙Ｂの右端で仕切られる領域Ｂ４が裏表紙２５となり、縦折り予定線Ｂｔ１は折り目ｆ２１となる。
【００２９】
以下、送付用葉書封入冊子２１の製造方法を具体的に説明する。
まず、輪転印刷機（図示せず）の給紙部から巻取状の用紙Ｂを繰り出し、その表裏面に所定の印刷を施す。次いで、印刷された用紙Ｂは、加工機（図示せず）により、切断予定線Ｂｘ１とＢｘ２で切断され、第１の用紙（右側部分）、第２の用紙（中央部分）及び第３の用紙（左側部分）に３分割される。
そして、第１の用紙（右側部分）に対しては、接着剤塗布予定領域Ｂｒ１、Ｂｒ２に通常の接着力を有する接着剤が塗布されて接着剤層３０ａ、３０ｂが形成される。
一方、第２の用紙（中央部分）に対しては、接着剤塗布予定領域Ｂｒ３、に通常の接着力を有する接着剤が塗布されて接着剤層３０ｃが形成され後、第３の用紙（左側部分）が第２の用紙の接着剤塗布予定領域Ｂｒ３に重ねられて接着される。
その後、縦折り予定線Ｂｔ１と切断予定線Ｂｘ１が一致し領域Ｂ１とＢ２が重なるようにして、第２用紙が第１の用紙上に重ねられて接着剤層３０ａ、３０ｂ（接着剤塗布予定領域Ｂｒ１、Ｂｒ２）で接着された後、第２の用紙（第３の用紙）が打抜き予定線Ｂｕ２に沿って打抜かれ、打抜き枠２９が形成される。
さらに、接着剤塗布予定領域Ｂｒ４、Ｂｒ５に剥離容易な接着剤が塗布されて接着剤層３１ａ、３１ｂが形成され、縦折り予定線Ｂｔ１に沿って、第１の用紙が折り重ねられ、第１の用紙の両端部同士が接着剤層３１ｂで接着されると共に第２の用紙（第３の用紙）が第１の用紙に接着剤層３１ａで接着された後、第１の用紙が打抜き予定線Ｂｕ１に沿って打抜かれ、窓枠２３が形成される。
最後に、折り重ねられた第１の用紙と第２の用紙（第３の用紙）は、切断予定線Ｂｙ１、Ｂｙ２で切断されて、送付用葉書封入冊子２１となる。
このようにして、用紙Ｂから送付用葉書封入冊子２１が連続的に製造される。
【００３０】
本実施例においては、打抜き予定線Ｂｕ１の内側（接着剤塗布予定領域Ｂｒ２）に通常の接着剤を塗布して、第１の用紙の領域Ｂ１と第２の用紙（第３の用紙）の領域Ｂ２を接着しているが、打抜き予定線Ｂｕ１の内側に接着剤を塗布せず、第１の用紙を打抜き予定線Ｂｕ１に沿って打抜いた後に、打抜いた部分（抜き予定線Ｂｕ１の内側）を除去してもよい。
また、本実施例においては、接着剤塗布予定領域Ｂｒ４を領域Ｂ４内に設けているが、この接着剤塗布予定領域Ｂｒ４を領域Ｂ１内の打抜き予定線Ｂｕ２と重なる部分の内側（接着剤塗布予定領域Ｂｒ２を除く）に設け、第１の用紙の領域Ｂ１と第２用紙の領域Ｂ２を剥離容易な接着剤で接着してもよい。
【００３１】
［送付用葉書封入冊子２１の使用方法］
上記のように、送付用葉書封入冊子２１は、折り目ｆ２１側の端部が綴じられ、折り目ｆ２１に対向する一端が封緘されており、宛名表示部２４に送付先の宛名を記載することにより、送付することができる。
また、表紙２２に宛名表示部２４を設けない場合は、窓枠２３の内側に露出している葉書２８の表面を宛名表示部として、この宛名表示部に送付先の宛名を記載することにより、送付用葉書封入冊子２１を送付することができる。
送られてきた送付用葉書封入冊子２１を受け取った受取人は、封緘されている送付用葉書封入冊子２１を開封することにより、図９に示すように、送付用葉書封入冊子２１を商品情報等が記載された通常の冊子（商品カタログ等）として利用することができる。この場合、表紙２２と裏表紙２５の一端の内側面同士が剥離容易な接着剤層３１ｂで接着されているため、受取人は、表紙２２と裏表紙２５の一端を容易に剥がして、送付用葉書封入冊子２１を開封することができる。
そして、開封した送付用葉書封入冊子２１の裏表紙２５の内側面には、周囲が打抜かれた葉書２８が、剥離容易な接着剤層３１ａにより接着されているため、受取人は、葉書２８を裏表紙２５の内側面から容易に剥がすことができ、剥がした葉書２８を返信用の葉書として利用することができる。葉書２８が表紙２２の内側面に接着されている場合も同様である。
この場合、葉書２８の表面には受取人の宛名（住所・氏名等）が記載された宛名表示部２４が接着されてそのまま残っているため、受取人が葉書２８を返信する際に、葉書２８に自己の住所・氏名等を記載するという手間が省かれる。葉書２８の表面に受取人の宛名（住所・氏名等）が直接記載されている場合も同様である。
なお、葉書２８の裏面には、予め返信先の宛名が印刷されている。
【実施例３】
【００３２】
［送付用葉書封入冊子の構成］
図１３は、本発明の第３実施形態である実施例３の送付用葉書封入冊子の正面図であり、図１４は、実施例３の送付用葉書封入冊子の平面図であり、図１５は、実施例３の送付用葉書封入冊子の葉書が設けられた面を開いた状態の斜視図であり、図１６は、実施例３の送付用葉書封入冊子の葉書が設けられた面を完全に開いた状態の正面図であり、図１７は、実施例３の送付用葉書封入冊子の葉書が設けられた面を完全に開いた状態の平面図である。
図中、４１は送付用葉書封入冊子、４２は表紙、４３は窓枠、４４は宛名表示部、４５は裏表紙、４６はその一部が葉書となる葉書部紙葉、４６ａは主葉書部紙葉、４６ｂは補助紙、４８は返信用の葉書、４９は葉書部紙葉４６の一部が葉書形状に打抜かれた打抜き枠、ｆ４１、ｆ４２は折り目、４４ａは宛名、５０ａ、５０ｂは通常の接着力を有する接着剤層、５１ａ〜５１ｃは剥離容易な接着剤層である。
【００３３】
図１３〜図１７に示すように、送付用葉書封入冊子４１は、表側から順に表紙４２、葉書部紙葉４６及び裏表紙４５からなる３葉の冊子であり、１枚の用紙を３つに折り重ねられて形成されたものであり、本実施例においては、裏表紙４５が葉書部紙葉４６の裏面（裏表紙４５と重なる側の面）に重なる裏面側紙葉となる。
この送付用葉書封入冊子４１においては、図１４に示すように、表紙４２と裏表紙４５を区画する用紙の折り目ｆ４１の近傍において、表紙４２の内側面（葉書部紙葉４６と重なる側の面）と葉書部紙葉４６（主葉書部紙葉４６ａ）の表面（表紙４２と重なる側の面）が接着剤層５１ａで接着されて表紙４２と葉書部紙葉４６が綴じられている。
そして、表紙４２の上部中央部には、矩形状に打ち抜かれた窓枠４３が形成され、窓枠４３の内側部分は宛名表示部４４となってその裏面が葉書部紙葉４６の表面に接着剤層５０ａで接着されている。これにより、後述する葉書４８の表面上部に宛名表示部４４が貼り付けられることとなる。
本実施例においては、打ち抜かれた窓枠４３の内側部分は宛名表示部４４として葉書部紙葉４６の表面に接着されているが、この打ち抜かれた窓枠４３の内側部分を除去し、葉書部紙葉４６の表面の窓枠４３と重なる部分を宛名表示部として、この宛名表示部に宛名を表示するようにしてもよい。
また、主葉書部紙葉４６ａは、その表面に主葉書部紙葉４６ａより横幅の狭い補助紙４６ｂが接着剤層５０ｂで接着されて葉書部紙葉４６となり、葉書部紙葉４６には葉書形状に打抜かれた打抜き枠４８が形成され、打抜き枠４８の内側部分は返信用の葉書４８となってその裏面が裏表紙４５の内側面に接着剤層５１ｂで接着されている。
このように主葉書部紙葉４６ａと補助紙４６ｂを接着して葉書部紙葉４６としているのは、実施例１、２の葉書部紙葉６、２６と同様の理由であり、補助紙４６ｂが不要な場合があるのも葉書部紙葉６、２６と同様である。
本実施例においては、葉書４８は、その裏面が裏表紙４５の内側面に接着されているが、葉書４８の表面を表紙４２の内側面に接着剤層５１ｂと同様の接着剤層で接着してもよい。
次に、図１４に示すように、表紙４２、葉書部紙葉４６（主葉書部紙葉４６ａ）及び裏表紙４５の横幅は、この順で狭くなっており、裏表紙４５の折り目ｆ４２側の一端近傍の内側面と葉書部紙葉４６（主葉書部紙葉４６ａ）の裏面が接着剤層５１ｃで接着されている。さらに、裏表紙４５の縦方向の両端近傍の内側面と葉書部紙葉４６（主葉書部紙葉４６ａ）の裏面が接着剤層５１ｃと同様の接着剤層（図示せず）で接着されている。これにより、送付用葉書封入冊子４１が封緘され、送付用葉書封入冊子４１をそのまま送付することができる。
本実施例においては、裏表紙４５の横幅は表紙４２の横幅より狭くなっているが、裏表紙４５と表紙４２の横幅を同じにして、送付用葉書封入冊子４１を封緘してもよい。
また、本実施例においては、裏表紙４５の折り目ｆ４２側一端近傍及び縦方向両端の内側面と葉書部紙葉４６（主葉書部紙葉４６ａ）の裏面を接着して封緘しているが、さらに、表紙４２と葉書部紙葉４６の縦方向の端部において、重なり合う面同士も接着剤層５１ｃと同様の接着剤層で接着して封緘を強固にしてもよい。
【００３４】
［接着剤層の構成及び接着の態様］
接着剤層５０ａ、５０ｂは、実施例１の接着剤層１０ａ〜１０ｄに使用される接着剤と同様に通常の接着力を有する接着剤によって形成され、接着剤層５０ａは、宛名表示部４４と葉書部紙葉４６が重なる部分の全面に設けられ、接着剤層５０ｂは、主葉書部紙葉４６ａと補助紙４６ｂが重なる部分の全面に設けられる。これにより、送付用葉書封入冊子４１の使用時（送付時を含む）に宛名表示部４４が葉書部紙葉４６から剥がれたり、主葉書部紙葉４６ａから補助紙４６ｂが剥がれたりしないようにしている。
また、接着剤層５１ａ〜５１ｃは、実施例１の接着剤層１１ａ、１１ｂに使用される接着剤と同様の容易に剥離する接着剤によって形成される。そして、接着剤層５１ｂは、葉書４８と裏表紙４５が重なる部分または葉書４８と表紙４２が重なる部分（宛名表示部４４を除く）において、その重なる部分の全面に設けてもよく、あるいは、その重なる部分の一部にパターン状に設けてもよい。これにより、表紙４２、葉書部紙葉４６及び裏表紙４５の接着されている端部を剥がして、封緘し綴じられている送付用葉書封入冊子２を容易に開くことができ、また、葉書４８を裏表紙４５あるいは表紙４２から容易に剥がして使用することができる。
【００３５】
［送付用葉書封入冊子４１の製造方法］
送付用葉書封入冊子４１は、実施例１の送付用葉書封入冊子１や実施例２の送付用葉書封入冊子２１と同様に、連続する１枚の用紙に、印刷、切断、打抜き、折り、接着剤塗布、貼り合せ等の加工を施すことにより、製造することができる。
図１８は、送付用葉書封入冊子４１を製造するに際し、連続する１枚の用紙に施す加工の種類と位置を表した説明図である。図において、Ｃは、連続する１枚の用紙であり、２点鎖線で示すＣｘ１は、用紙の縦方向（進行方向）の切断位置を示す切断予定線、２点鎖線で示すＣｙ１、Ｃｙ２は、用紙の横方向（進行方向と直角方向）の切断位置を示す切断予定線、１点鎖線で示すＣｕ１、Ｃｕ２は、打抜く位置を示す打抜き予定線、破線で示すＣｔ１、Ｃｔ２は、縦方向の折り位置を示す縦折り予定線、網点で示すＣｒ１〜Ｃｒ７は、接着剤を塗布する領域を示す接着剤塗布予定領域である。なお、本実施例における接着剤塗布予定領域Ｃｒ４は、横長の長方形を上下に２個、縦長の長方形を左右に４個並べたパターン状となっているが、接着剤塗布予定領域Ｃｒ４は、これに限定されるものではなく、任意の形状・パターンとすることができる。
【００３６】
ここで、切断予定線Ｃｙ１とＣｙ２の間隔ｐ３が、送付用葉書封入冊子４１の縦方向の長さとなり、Ｃｙ１とＣｙ２で仕切られる領域から１冊の送付用葉書封入冊子４１が製造される。
そして、Ｃｙ１とＣｙ２で仕切られる領域のうち、縦折り予定線Ｃｔ１とＣｔ２で仕切られる領域Ｃ１が表紙４２となり、切断予定線Ｃｘ１と縦折り予定線Ｃｔ２で仕切られる領域Ｃ２が主葉書部紙葉４６ａとなり、用紙Ｃの左端と切断予定線Ｃｘ１で仕切られる領域Ｃ３が補助紙４６ｂとなり、縦折り予定線Ｃｔ１と用紙Ｃの右端で仕切られる領域Ｃ４が裏表紙４５となり、縦折り予定線Ｃｔ１、Ｃｔ２は折り目ｆ４１、ｆ４２となる。
【００３７】
以下、送付用葉書封入冊子２１の製造方法を具体的に説明する。
まず、輪転印刷機（図示せず）の給紙部から巻取状の用紙Ｃを繰り出し、その表裏面に所定の印刷を施す。次いで、印刷された用紙Ｃは、加工機（図示せず）により、切断予定線Ｃｘ１で切断され、第１の用紙（右側部分）と第２の用紙（左側部分）に２分割される。
そして、第１の用紙（右側部分）に対して、接着剤塗布予定領域Ｃｒ２に通常の接着力を有する接着剤が塗布されて接着剤層５０ｂが形成され後、第２の用紙（左側部分）が第１の用紙の接着剤塗布予定領域Ｃｒ２に重ねられて接着される。
その後、第１の用紙に接着された第２の用紙の接着剤塗布予定領域Ｃｒ１に通常の接着力を有する接着剤が塗布され、第１の用紙の接着剤塗布予定領域Ｃｒ３に剥離容易な接着剤が塗布され、縦折り予定線Ｃｔ２に沿って第１の用紙が折り重ねられて領域Ｃ１上に領域Ｃ２が接着された後、第１の用紙（第２の用紙）が打抜き予定線Ｃｕ２に沿って打抜かれ、打抜き枠４９が形成される。
さらに、接着剤塗布予定領域Ｃｒ４〜Ｃｒ７に剥離容易な接着剤が塗布されて接着剤層５１ｂ、５１ｃ等が形成され、縦折り予定線Ｃｔ１に沿って第１の用紙が折り重ねられ、先に接着された領域Ｃ１、Ｃ２と領域Ｃ４が接着された後、第１の用紙が打抜き予定線Ｃｕ１に沿って打抜かれ、窓枠４３が形成される。
最後に、折り重ねられた第１の用紙（第２の用紙）は、切断予定線Ｃｙ１、Ｃｙ２で切断されて、送付用葉書封入冊子４１となる。
このようにして、用紙Ｂから送付用葉書封入冊子４１が連続的に製造される。
【００３８】
本実施例においては、接着剤塗布予定領域Ｃｒ１に通常の接着剤を塗布して、第１の用紙の領域Ｃ１と第２の用紙の領域Ｃ３を接着しているが、接着剤塗布予定領域Ｃｒ１に接着剤を塗布せず、第１の用紙を打抜き予定線Ｃｕ１に沿って打抜いた後に、打抜いた部分（抜き予定線Ｃｕ１の内側）を除去してもよい。
また、本実施例においては、接着剤塗布予定領域Ｃｒ４を領域Ｃ４内に設けているが、この接着剤塗布予定領域Ｃｒ４を領域Ｃ１内の打抜き予定線Ｃｕ２と重なる部分の内側（打抜き予定線Ｃｕ１の内側部分を除く）に設け、領域Ｃ１と領域Ｃ２（Ｃ３）を剥離容易な接着剤で接着してもよい。
【００３９】
［送付用葉書封入冊子４１の使用方法］
上記のように、送付用葉書封入冊子４１は、折り目ｆ４１側の端部が綴じられ、裏表紙４５の折り目ｆ４１に対向する一端及び縦方向の両端が封緘されており、宛名表示部４４に送付先の宛名を記載することにより、送付することができる。
また、表紙４２に宛名表示部４４を設けない場合は、窓枠４３の内側に露出している葉書４８の表面を宛名表示部として、この宛名表示部に送付先の宛名を記載することにより、送付用葉書封入冊子４１を送付することができる。
送られてきた送付用葉書封入冊子４１を受け取った受取人は、封緘されている送付用葉書封入冊子４１を開封し、さらに、葉書部紙葉４６の綴じられている端部を開くことにより、送付用葉書封入冊子４１を商品情報等が記載された通常の折畳み冊子（１葉の用紙を折り畳んで複数葉としたもの）として利用することができる。この場合、裏表紙の内側面と葉書部紙葉の裏面が剥離容易な接着剤層５１ｃ等で接着され、表紙の内側面と葉書部紙葉の表面が剥離容易な接着剤層５１ａで接着されているため、受取人は、裏表紙４５、葉書部紙葉４６及び表紙４２の各接着部分を容易に剥がして、送付用葉書封入冊子４１を開くことができる。
そして、開封した送付用葉書封入冊子４１の裏表紙４５の内側面には、周囲が打抜かれた葉書４８が、剥離容易な接着剤層５１ｂにより接着されているため、受取人は、葉書４８を裏表紙４５の内側面から容易に剥がすことができ、剥がした葉書４８を返信用の葉書として利用することができる。葉書４８が表紙４２の内側面に接着されている場合も同様である。
この場合、葉書４８の表面には受取人の宛名（住所・氏名等）が記載された宛名表示部４４が接着されてそのまま残っているため、受取人が葉書４８を返信する際に、葉書４８に自己の住所・氏名等を記載するという手間が省かれる。葉書４８の表面に受取人の宛名（住所・氏名等）が直接記載されている場合も同様である。
なお、葉書４８の裏面には、予め返信先の宛名が印刷されている。
【産業上の利用可能性】
【００４０】
本発明の送付用葉書封入冊子は、表紙に窓枠が形成され、表紙の内側面に重なる紙葉に周囲が打抜かれた葉書が設けられ、葉書が設けられた紙葉に重なる紙葉または表紙に葉書が剥離容易に接着され、剥離容易な接着剤で封緘されており、封筒を使用することなく送付でき、封入する葉書の位置合わせをすることなく、容易に宛名を表示した葉書を冊子に封入でき、開封も容易に行うことができる。
【符号の説明】
【００４１】
１  送付用葉書封入冊子
２  表紙
３  窓枠
４  宛名表示部
４ａ  宛名
５  裏表紙
６  葉書部紙葉
６ａ  主葉書部紙葉
６ｂ  補助紙
７  裏面側紙葉
８  葉書
９  打抜き枠
１０ａ〜１０ｄ  通常の接着力を有する接着剤層
１１ａ、１１ｂ  剥離容易な接着剤層
ｆ１、ｆ２  折り目
２１  送付用葉書封入冊子
２２  表紙
２３  窓枠
２４  宛名表示部
２４ａ  宛名
２５  裏表紙
２６  葉書部紙葉
２６ａ  主葉書部紙葉
２６ｂ  補助紙
２８  葉書
２９  打抜き枠
３０ａ〜３０ｃ  通常の接着力を有する接着剤層
３１ａ、３１ｂ  剥離容易な接着剤層
ｆ２１  折り目
４１  送付用葉書封入冊子
４２  表紙
４３  窓枠
４４  宛名表示部
４４ａ  宛名
４５  裏表紙
４６  葉書部紙葉
４６ａ  主葉書部紙葉
４６ｂ  補助紙
４８  葉書
４９  打抜き枠
５０ａ、５０ｂ  通常の接着力を有する接着剤層
５１ａ〜５１ｃ  剥離容易な接着剤層
ｆ４１、ｆ４２  折り目
Ａ  用紙
Ａｘ１、Ａｘ２  切断予定線
Ａｙ１、Ａｙ２  切断予定線
Ａｕ１、Ａｕ２  打抜き予定線
Ａｔ１、Ａｔ２  縦折り予定線
Ａｒ１〜Ａｒ６  接着剤塗布予定領域
Ｂ  用紙
Ｂｘ１、Ｂｘ２  切断予定線
Ｂｙ１、Ｂｙ２  切断予定線
Ｂｕ１、Ｂｕ２  打抜き予定線
Ｂｔ１  縦折り予定線
Ｂｒ１〜Ｂｒ５  接着剤塗布予定領域
Ｃ  用紙
Ｃｘ１  切断予定線
Ｃｙ１、Ｃｙ２  切断予定線
Ｃｕ１、Ｃｕ２  打抜き予定線
Ｃｔ１、Ｃｔ２  縦折り予定線
Ｃｒ１〜Ｃｒ７  接着剤塗布予定領域
【図１】
0006493657.tif 000002
【図２】
0006493657.tif 000003
【図３】
0006493657.tif 000004
【図４】
0006493657.tif 000005
【図５】
0006493657.tif 000006
【図６】
0006493657.tif 000007
【図７】
0006493657.tif 000008
【図８】
0006493657.tif 000009
【図９】
0006493657.tif 000010
【図１０】
0006493657.tif 000011
【図１１】
0006493657.tif 000012
【図１２】
0006493657.tif 000013
【図１３】
0006493657.tif 000014
【図１４】
0006493657.tif 000015
【図１５】
0006493657.tif 000016
【図１６】
0006493657.tif 000017
【図１７】
0006493657.tif 000018
【図１８】
0006493657.tif 000019
【図１９】
0006493657.tif 000020
【図２０】
0006493657.tif 000021